(57)【要約】  低コスト且つ光学性能を確保しつつ、従来タイプに比べ広角化及び低背化を図ることができる４枚構成の撮像レンズ、及びそれを用いた撮像装置を提供する。撮像レンズＬＮは、物体側から順に負の屈折力を有する第１レンズ、負の屈折力を有する第２レンズ、第３レンズ、第４レンズからなり、前記第１レンズの物体側面が非球面形状であり、下記の条件式を満足する。  −２．８＜ｆ２／ｆ＜−０．５      （１）  ０．０＜（ｒ１＋ｒ２）／（ｒ１−ｒ２）＜２．３      （２）但し、ｆ２：第２レンズの焦点距離（ｍｍ）ｆ：全系の焦点距離（ｍｍ）ｒ１：第１レンズ物体側面の曲率半径（ｍｍ）ｒ２：第１レンズ像側面の曲率半径（ｍｍ）
2014203720.tif 000002
【特許請求の範囲】
【請求項１】
物体側から順に、負の屈折力を有する第１レンズ、負の屈折力を有する第２レンズ、第３レンズ、第４レンズからなり、前記第１レンズの物体側面が非球面形状であり、下記の条件式を満足することを特徴とする撮像レンズ。
−２．８＜ｆ２／ｆ＜−０．５      （１）
０．０＜（ｒ１＋ｒ２）／（ｒ１−ｒ２）＜２．３      （２）
但し、
ｆ２：前記第２レンズの焦点距離（ｍｍ）
ｆ：全系の焦点距離（ｍｍ）
ｒ１：前記第１レンズ物体側面の曲率半径（ｍｍ）
ｒ２：前記第１レンズ像側面の曲率半径（ｍｍ）
【請求項２】
前記第３レンズと前記第４レンズは正の屈折力を有することを特徴とする請求項１に記載の撮像レンズ。
【請求項３】
前記第１レンズの物体側面は周辺部が正の屈折力を有することを特徴とする請求項１又は２に記載の撮像レンズ。
【請求項４】
前記第１レンズは像側に凹面を向け、前記第２レンズは像側に凹面を向け、前記第３レンズは物体側に凸面を向け、前記第４レンズは像側に凸面を向けていることを特徴とする請求項１〜３のいずれかに記載の撮像レンズ。
【請求項５】
前記第１レンズの材料が以下の条件式を満たすことを特徴とする請求項１〜４のいずれかに記載の撮像レンズ。
４０＜ν１＜７０      （３）
但し
ν１：前記第１レンズのアッベ数
【請求項６】
前記第１レンズはプラスチック材料からなることを特徴とする請求項１〜５のいずれかに記載の撮像レンズ。
【請求項７】
前記第３レンズと前記第４レンズの間に開口絞りを有することを特徴する請求項１〜６のいずれかに記載の撮像レンズ。
【請求項８】
前記第１レンズの物体側面が、光軸垂線に対し最大となる面角度θ１（°）で交差する光軸からの距離をｈ１としたときに、光軸からの距離ｈ１／５の位置における光軸垂線に対する面角度をθ２（°）とすると、以下の条件式を満たすことを特徴とする請求項１〜７のいずれかに記載の撮像レンズ。
θ１＞θ２×６      （４）
【請求項９】
以下の条件式を満たすことを特徴とする請求項１〜８のいずれかに記載の撮像レンズ。
−０．０６＜ｆ／ｒ１＜０.０６      （５）
【請求項１０】
以下の条件式を満たすことを特徴とする請求項１〜９のいずれかに記載の撮像レンズ。
１．８＜ｆ３／ｆ＜４．３      （６）
但し、
ｆ３：前記第３レンズの焦点距離（ｍｍ）
【請求項１１】
以下の条件式を満たすことを特徴とする請求項１〜１０のいずれかに記載の撮像レンズ。
−３０．０＜ｆｌ／ｆ＜−６．０      （７）
但し、
ｆ１：前記第１レンズの焦点距離（ｍｍ）
【請求項１２】
以下の条件式を満たすことを特徴とする請求項１〜１１に記載の撮像レンズ。
２．０＜ｆ３４／ｆ＜４．０      （８）
但し、
ｆ３４：前記第３レンズと前記第４レンズの合成焦点距離（ｍｍ）
【請求項１３】
以下の条件式を満たすことを特徴とする請求項１〜１２に記載の撮像レンズ。
−１．０≦（ｒ５＋ｒ６）／（ｒ５−ｒ６）＜−０．２      （９）
但し、
ｒ５：前記第３レンズ物体側面の曲率半径（ｍｍ）
ｒ６：前記第３レンズ像側面の曲率半径（ｍｍ）
【請求項１４】
以下の条件式を満たすことを特徴とする請求項１〜１３のいずれかに記載の撮像レンズ。
０．８＜ｆ３／ｆ４＜２．０      （１０〉
但し、
ｆ３：前記第３レンズの焦点距離（ｍｍ）
ｆ４：前記第４レンズの焦点距離（ｍｍ）
【請求項１５】
前記第２レンズの像側面は非球面であることを特徴とする請求項１〜１４のいずれかに記載の撮像レンズ。
【請求項１６】
実質的に屈折力を有しないレンズを有することを特徴とする請求項１〜１５のいずれかに記載の撮像レンズ。
【請求項１７】
請求項１〜１６のいずれかに記載の撮像レンズを備えることを特徴とする撮像装置。
【発明の詳細な説明】
【技術分野】
【０００１】
本発明は、固体撮像素子を用いた撮像装置に好適な撮像レンズ、及び撮像レンズを用いた撮像装置に関する。
【背景技術】
【０００２】
近年、ＣＣＤ(Charge Coupled Devices)型イメージセンサやＣＭＯＳ(Complementary Meta1-Oxide Semiconductor)型イメージセンサ等の固体撮像素子を用いた撮像素子の高性能化、小型化に伴い、撮像装置を備えた機器が普及しつつある。このような機器の内、車載カメラや監視カメラ等は、なるべく広範囲を撮影するために１８０度以上に広角化したいという要請がある。一方、小型化や低コスト化についても当然要請されており、そのため４枚レンズ構成の撮像レンズが提案されている。【０００３】
ここで、従来用いられている４枚レンズ構成の撮像レンズのうち最も物体側のレンズは、耐環境性や高い光学性能を持つガラス製のレンズが用いられることが多いが、低コスト化や製造容易性の観点から球面レンズを用いているのが一般的である。しかしながら、低コストと広角化を維持しつつ、近年の高性能化や光学全長短縮化（低背化）の要求に応じるためには、最も物体側のレンズを非球面レンズとする必要が生じた。特に、撮像レンズを搭載する機器の意匠性や小型化を促進するには、最も物体側のレンズの物体側面を平面に近づけることが望ましいといえる。【０００４】
これに対し、特許文献１、２には、最も物体側のレンズに非球面を用いてなり、像側面を平面に近づけた４枚レンズ構成の撮像レンズが開示されている。
【先行技術文献】
【特許文献】
【０００５】
【特許文献１】特開２０１１−８１４２５号公報
【特許文献２】特開２００８−２８１８５９号公報
【特許文献３】特開２００７−２５４９９号公報
【発明の概要】
【発明が解決しようとする課題】
【０００６】
しかしながら、特許文献１に記載の撮像レンズでは、十分に広角化が図られているとは言いがたい。又、特許文献２の撮像レンズは、第２レンズの屈折力が弱いため、広角化及び低背化がともに不足している。【０００７】
更に特許文献３には、最も物体側のレンズが物体側に凸面を向けたメニスカス形状である撮像レンズが開示されているが、広角化及び低背化がともに不足している。【０００８】
本発明は、このような問題点に鑑みてなされたものであり、低コスト且つ光学性能を確保しつつ、従来タイプに比べ広角化及び低背化を図ることができる４枚構成の撮像レンズ、及びそれを用いた撮像装置を提供することを目的とする。
【課題を解決するための手段】
【０００９】
上述した目的のうち少なくとも一つを実現するために、本発明の一側面を反映した撮像レンズは、物体側から順に、負の屈折力を有する第１レンズ、負の屈折力を有する第２レンズ、第３レンズ、第４レンズからなり、前記第１レンズの物体側面が非球面形状であり、下記の条件式を満足することを特徴とする。
−２．８＜ｆ２／ｆ＜−０．５      （１）
０．０＜（ｒ１＋ｒ２）／（ｒ１−ｒ２）＜２．３      （２）
但し、
ｆ２：前記第２レンズの焦点距離（ｍｍ）
ｆ：全系の焦点距離（ｍｍ）
ｒ１：前記第１レンズ物体側面の曲率半径（ｍｍ）
ｒ２：前記第１レンズ像側面の曲率半径（ｍｍ）【００１０】
第１レンズ、第２レンズを負レンズとすることで、全系の主点位置を像側に寄せることができるため,より広角化することが可能になる。更に第１レンズの物体側面を非球面とすることで、第１レンズの中心付近と周辺部に異なる屈折力を持たせ、軸上光束と周辺光束に対し、それぞれ適切な収差補正ができる。【００１１】
条件式（２）を満たす第１レンズの形状は、像側面に比べ物体側面の曲率半径が緩い両凹形状から物体側に緩い凸面を向けたメニスカスレンズになるが、仮に第１レンズ物体側面が球面形状であるとすると、平面や凹形状の場合は１８０°以上の画角の光は入射できず、緩い凸形状の場合は１８０°を超える画角の光は、第１レンズの物体側面に対し、大きな入射角を持って入射することになり、大きな収差を発生してしまう。そこで、本撮像レンズでは第１レンズ物体側面を非球面とし、周辺部を凸形状とすることで大きな画角の光が小さな入射角で入射できるようにし、１８０°を超える広角レンズとしても収差の発生を小さく抑えることができるようにしている。【００１２】
さらに条件式（１）の値が下限を上回ることで、第２レンズが有する負の屈折力を強くすることになるため、主点位置を像面に近付けることができ、広角化に有利になる。一方、条件式（１）の値が上限を下回ることにより、第２レンズの負の屈折力が強くなり過ぎることによる、球面収差やコマ収差の発生や誤差感度の増大を防ぐことができる。さらに、本撮像レンズは、望ましくは以下の条件式（１’）を満足する。
−２．３＜ｆ２／ｆ＜−１．０      （１’）【００１３】
また条件式（２）の値が下限を上回ることで、第１レンズが、像側面に比べ物体側面の曲率半径が大きい両凹レンズになるため、第１レンズの主点位置が像側に寄ることから広角化に有利になる。また条件式（２）の値が上限を下回ることによって、第１レンズ物体側面に緩い凸面を向けたメニスカスレンズになるため、第１レンズが物体側に突出せず、低背化に有利になる。さらに、本撮像レンズは、望ましくは以下の条件式（２’）を満足する。
０．５＜（ｒ１＋ｒ２）／（ｒ１−ｒ２）＜１．８      （２’）【００１４】
本撮像装置は、上述の撮像レンズを備えることを特徴とする。
【発明の効果】
【００１５】
本発明によれば、低コスト且つ光学性能を確保しつつ、従来タイプに比べ広角化及び低背化を図ることができる４枚構成の撮像レンズ、及びそれを用いた撮像装置を提供することができる。
【図面の簡単な説明】
【００１６】
【図１】第１レンズの物体側面Ｓ１の一例を誇張して示す図である。
【図２】本実施形態にかかる撮像装置ＬＵの斜視図である。
【図３】実施例１にかかる撮像レンズの断面図である。
【図４】実施例１にかかる撮像レンズの球面収差（ａ）、非点収差（ｂ）、及び歪曲収差（ｃ））である。
【図５】実施例１にかかるメリディオナルコマ収差（ａ）、（ｂ）の収差図である。
【図６】実施例２にかかる撮像レンズの断面図である。
【図７】実施例２にかかる撮像レンズの球面収差（ａ）、非点収差（ｂ）、及び歪曲収差（ｃ））である。
【図８】実施例２にかかるメリディオナルコマ収差（ａ）、（ｂ）の収差図である。
【図９】実施例３にかかる撮像レンズの断面図である。
【図１０】実施例３にかかる撮像レンズの球面収差（ａ）、非点収差（ｂ）、及び歪曲収差（ｃ））である。
【図１１】実施例３にかかるメリディオナルコマ収差（ａ）、（ｂ）の収差図である。
【図１２】実施例４にかかる撮像レンズの断面図である。
【図１３】実施例４にかかる撮像レンズの球面収差（ａ）、非点収差（ｂ）、及び歪曲収差（ｃ））である。
【図１４】実施例４にかかるメリディオナルコマ収差（ａ）、（ｂ）の収差図である。
【図１５】実施例５にかかる撮像レンズの断面図である。
【図１６】実施例５にかかる撮像レンズの球面収差（ａ）、非点収差（ｂ）、及び歪曲収差（ｃ））である。
【図１７】実施例５にかかるメリディオナルコマ収差（ａ）、（ｂ）の収差図である。
【図１８】実施例６にかかる撮像レンズの断面図である。
【図１９】実施例６にかかる撮像レンズの球面収差（ａ）、非点収差（ｂ）、及び歪曲収差（ｃ））である。
【図２０】実施例６にかかるメリディオナルコマ収差（ａ）、（ｂ）の収差図である。
【図２１】実施例７にかかる撮像レンズの断面図である。
【図２２】実施例７にかかる撮像レンズの球面収差（ａ）、非点収差（ｂ）、及び歪曲収差（ｃ））である。
【図２３】実施例７にかかるメリディオナルコマ収差（ａ）、（ｂ）の収差図である。
【発明を実施するための形態】
【００１７】
以下、本発明による実施形態を図面に基づいて説明する。図２は、本実施形態にかかる撮像装置を用いた車載カメラ１の斜視図である。車載カメラ１の撮像装置は、ＣＭＯＳ型イメージセンサＩＭと、このイメージセンサＩＭの光電変換部（受光面）に被写体像を撮像させる撮像レンズＬＮとから構成されている。ＣＭＯＳ型イメージセンサＩＭから出力された画像信号は、ケーブル２を介して車載コンピュータ（不図示）に出力されるようになっている。
【００１８】
撮像レンズＬＮは、物体側から順に負の屈折力を有する第１レンズ、負の屈折力を有する第２レンズ、第３レンズ、第４レンズからなり、第１レンズの物体側面が非球面形状であり、下記の条件式を満足する。
−２．８＜ｆ２／ｆ＜−０．５      （１）
０．０＜（ｒ１＋ｒ２）／（ｒ１−ｒ２）＜２．３      （２）
但し、
ｆ２：第２レンズの焦点距離（ｍｍ）
ｆ：全系の焦点距離（ｍｍ）
ｒ１：第１レンズ物体側面の曲率半径（ｍｍ）
ｒ２：第１レンズ像側面の曲率半径（ｍｍ）
【００１９】
以下、好ましい実施態様について説明する。
【００２０】
上記撮像レンズにおいて、第３レンズと第４レンズは正の屈折力を有することが好ましい。第３レンズと第４レンズを正レンズとすることで、負の屈折力を有する第１レンズ及び第２レンズを加えて、全系でレトロフォーカスタイプとなるため、広角化に有利になる。また焦点距離を短くするためには強い正の屈折力が必要になるが、第３レンズと第４レンズで正の屈折力を分担することができるため、一方のレンズの屈折力が強くなり過ぎず、誤差感度の増大や収差の発生を抑えることができる。
【００２１】
また、第１レンズの物体側面は周辺部が正の屈折力を有することが好ましい。第１レンズ物体側面の周辺部が正の屈折力を持つことで、１８０°以上の画角から光線が入射することができるため、画角１８０°以上の広角化が可能になる。
【００２２】
また、第１レンズは像側に凹面を向け、第２レンズは像側に凹面を向け、第３レンズは物体側に凸面を向け、第４レンズは像側に凸面を向けていることが好ましい。第１レンズと第２レンズの像側面を凹面、第３レンズの物体側面を凸面とすることで、大きい画角で入射した光線に対し、各面が垂直に近い角度を取ることになるため、面への入射角が小さくなり、収差の発生を抑えることができる。また、第４レンズ像側面を凸面とすることで、像面への光線入射角を小さく抑えることができる。
【００２３】
また、第１レンズの材料が以下の条件式を満たすことが好ましい。
４０＜ν１＜７０      （３）
但し
ν１：第１レンズのアッベ数
【００２４】
条件式（３）の値が下限を上回ることで、第１レンズで発生する色収差を小さく抑えることができるため、高性能化が容易になる。また条件式（３）の値が上限を下回ることで、入手しやすい材料で構成することができ、低コスト化に有利になる。また色収差の発生が小さくなり過ぎず、他のレンズの色収差補正とのバランスが崩れて過剰補正になることを防ぐことができる。望ましくは、以下の式（３’）を満たすことである。
５０＜ν１＜６５      （３’）
【００２５】
また、第１レンズはプラスチック材料からなることが好ましい。第１レンズをプラスチックレンズとすることで、その光学面を容易に非球面とすることができ、また低コスト化に有利になる。
【００２６】
また、第３レンズと第４レンズの間に開口絞りを有することが好ましい。第３レンズと第４レンズの間に開口絞りを配置することで、第３レンズと第４レンズの有効径を小さく抑えることができるため、第３レンズと第４レンズに強い正の屈折力を持たせても高次収差を小さく抑えることができる。一方で、このような開口絞りの配置により、軸上光線高さは高くなり第３レンズと第４レンズの屈折力の全系焦点距離への寄与が大きくなるため、短焦点化が容易になり広角化に有利になる。
【００２７】
また、第１レンズの物体側面が、光軸垂線に対し最大となる面角度θ１（°）で交差する光軸からの距離をｈ１としたときに、光軸からの距離ｈ１／５の位置における光軸垂線に対する面角度をθ２（°）とすると、以下の条件式を満たすことが好ましい。
θ１＞θ２×６      （４）
【００２８】
図１は、第１レンズの物体側面Ｓ１の一例を誇張して示す図である。図１において、光軸ＯＡの垂線に対し、第１レンズの物体側面Ｓ１が交差してなす面角度のうち最大となる面角度θ１（°）が位置Ｐ１で得られたとき、位置Ｐ１までの光軸ＯＡからの距離をｈ１として、更に光軸ＯＡからの距離ｈ１／５の位置Ｐ２における面角度θ２（°）とするとき、条件式（４）を満たす。このように条件式（４）を満たすことで、第１レンズ物体側面の中心付近の面角度は小さく、周辺部の面角度は大きくなるが、そうすることによって、中心付近が突出せず低背化に有利になる。また周辺部の面角度を大きくすることによって、大きな角度で入射する光線の面への入射角を小さく抑えることができるため、収差の発生を抑えることができる。さらに、本撮像レンズは、望ましくは以下の条件式（４’）を満足する。
θ１＞θ２×１０      （４’）
【００２９】
また、上記撮像レンズは、以下の条件式を満たすことが好ましい。
−０．０６＜ｆ／ｒ１＜０.０６      （５）
【００３０】
第１レンズの物体側面の曲率半径を、条件式（５）の範囲を満足するようにすることで、平面に近い面となる。条件式（５）の値が上限を下回ることで、第１レンズ物体側面の凸形状が強くなりすぎず、球面収差の発生が大きくならず、同時に第１レンズの主点位置がレンズに対し像側に寄らないので、低背化を促進できる。また条件式（５）の値が下限を上回ることで、第１レンズ物体側面の凹形状が強くなりすぎず、１８０°を超えるような大きな画角の光線がレンズに入射でき、広角化を図れる。又、非球面形状で周辺部を凸形状とすれば広角化が可能となるが、中心部と周辺部とで曲率半径が大きく異ならないので,製造誤差感度を弱めて製造容易性を高めることができる。さらに、本撮像レンズは、望ましくは以下の条件式（５’）を満足する。
−０．０４＜ｆ／ｒ１＜０.０４      （５’）
【００３１】
また、上記撮像レンズは、以下の条件式を満たすことが好ましい。
１．８＜ｆ３／ｆ＜４．３      （６）
但し、
ｆ３：第３レンズの焦点距離（ｍｍ）
【００３２】
条件式（６）の値が下限を上回ることで、第３レンズの正の屈折力が強くなり過ぎないため、球面収差やコマ収差の発生を小さく抑えることができる。また条件式（６）の値が上限を下回ることで、第３レンズが強い正の屈折力を持つため、全系の主点位置が像側に寄って短焦点化が容易となり、広角化に有利になる。また第１レンズと第２レンズで発生した色収差を補正することが可能となる。さらに、本撮像レンズは、望ましくは以下の条件式（６’）を満足する。
２．０＜ｆ３／ｆ＜４．０      （６’）
【００３３】
また、上記撮像レンズは、以下の条件式を満たすことが好ましい。
−３０．０＜ｆｌ／ｆ＜−６．０      （７）
但し、
ｆ１：第１レンズの焦点距離（ｍｍ）
【００３４】
条件式（７）の値が下限を上回ることで、第１レンズが弱い屈折力となるため、屈折力が強過ぎる場合に懸念される球面収差やコマ収差の発生を抑えることができる。また,条件式（７）の値が上限を下回ることで、第１レンズが負の屈折力を持つため、全系の短焦点化に寄与し、広角化に優位になる。さらに、本撮像レンズは、望ましくは以下の条件式（７’）を満足する。
−２０．０＜ｆｌ／ｆ＜−７．０      （７’）
【００３５】
また、上記撮像レンズは、以下の条件式を満たすことが好ましい。
２．０＜ｆ３４／ｆ＜４．０      （８）
但し、
ｆ３４：第３レンズと第４レンズの合成焦点距離（ｍｍ）
【００３６】
条件式（８）は、第３レンズと第４レンズの合成焦点距離の好ましい範囲を定めている。条件式（８）の値が下限を上回ることで、全系の焦点距離に対し第３レンズと第４レンズの合成屈折力が強くなり過ぎないため、球面収差やコマ収差の発生を抑えることができる。また、条件式（８）の値が上限を下回ることで、像面に近い位置で正の屈折力が強くなるため、短焦点化が容易になり広角化に有利になる。さらに、本撮像レンズは、望ましくは以下の条件式（８’）を満足する。
２．５＜ｆ３４／ｆ＜３．５      （８’）
【００３７】
また、上記撮像レンズは、以下の条件式を満たすことが好ましい。
−１．０≦（ｒ５＋ｒ６）／（ｒ５−ｒ６）＜−０．２      （９）
但し、
ｒ５：前記第３レンズ物体側面の曲率半径（ｍｍ）
ｒ６：前記第３レンズ像側面の曲率半径（ｍｍ）
【００３８】
条件式（９）は好ましい第３レンズの形状を定めている。条件式（９）の値が下限を上回ることで第３レンズは像側面が緩い凸面のレンズとなるが、そうすることにより第３レンズの持つ強い正の屈折力を物体側の凸面と像側の凸面で分担することができるため、物体側の凸面の屈折力が強くなり過ぎることにより球面収差やコマ収差が発生するのを避けることができる。また条件式（９）の上限を下回ることで、第３レンズ像側面の凸面が強くなりすぎず、周辺像高の光の第３レンズ像側面への入射角が大きくなりすぎず、コマ収差の増大を抑えることができる。さらに、本撮像レンズは、望ましくは以下の条件式（９’）を満足する。
−０．８＜（ｒ５＋ｒ６）／（ｒ５−ｒ６）＜−０．３      （９’）
【００３９】
また、上記撮像レンズは、以下の条件式を満たすことが好ましい。
０．８＜ｆ３／ｆ４＜２．０      （１０）
但し、
ｆ３：前記第３レンズの焦点距離（ｍｍ）
ｆ４：前記第４レンズの焦点距離（ｍｍ）
【００４０】
条件式（１０）の値は、第３レンズと第４レンズの焦点距離の比の好ましい範囲を定めている。条件式（１０）を満足することで、第３レンズの屈折力と第４レンズの屈折力のバランスが良好になり、広角化と収差補正の両立が可能になる。さらに、本撮像レンズは、望ましくは以下の条件式（１０’）を満足する。
１．０＜ｆ３／ｆ４＜１．８      （１０’）
【００４１】
また、第２レンズの像側面は非球面であることが好ましい。これにより、第２レンズ像側面の有効径内の中心付近と周辺部で異なるパワーを持たせることができるため、収差補正が有利になる。
【００４２】
また、上記撮像レンズは、実質的に屈折力を有しないレンズを有してもよい。
【００４３】
（実施例）
次に、上述した実施形態に好適な実施例について説明する。但し、以下に示す実施例により本発明が限定されるものではない。実施例における各符号の意味は以下の通りである（長さの単位は、波長以外ｍｍ）。
ＦＬ：撮像レンズ全系の焦点距離（ｍｍ）
ＢＦ：バックフォーカス（ｍｍ）（但し、カバーガラスを空気換算長とした場合の近軸像面までの距離）
Ｆｎｏ  ：Ｆナンバー
ｗ  ：半画角（゜）
Ｙｍａｘ：固体撮像素子の撮像面対角線長の半分の長さ（ｍｍ）
ＴＬ：撮像レンズ全系の最も物体側のレンズ面から像側焦点までの光軸上の距離（ｍｍ）（但し、「像側焦点」とは、撮像レンズに光軸と平行な平行光線が入射した場合の像点をいう。またカバーガラスは空気換算長とする。）
ｒ  ：屈折面の曲率半径（ｍｍ）
ｄ  ：軸上面間隔（ｍｍ）
ｎｄ：レンズ材料のｄ線の常温での屈折率
ｖｄ：レンズ材料のアッベ数
ＳＴＯ：開口絞り
eff.diameter：有効径
【００４４】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００４５】
【数１】
2014203720.tif 000003
但し、
Ａｉ：ｉ次の非球面係数
Ｒ  ：曲率半径
Ｋ  ：円錐定数
である。
【００４６】
また、以降（表のレンズデータを含む）において、１０のべき乗数（例えば、２．５×１０-02）を、Ｅ（例えば２．５ｅ−００２）を用いて表すものとする。また、レンズデータの面番号は第１レンズの物体側を１面として順に付与した。なお、実施例に記載の長さを表す数値の単位はすべてｍｍとする。
【００４７】
なお、請求項ならびに実施例に記載の近軸曲率半径の意味合いについて、実際のレンズ測定の場面においては、レンズ中央近傍(具体的には、レンズ有効径に対して10%以内の中央領域)での形状測定値を最小自乗法でフィッティングした際の近似曲率半径を近軸曲率半径であるとみなすことができる。また、例えば2次の非球面係数を使用した場合には、非球面定義式の基準曲率半径に2次の非球面係数も勘案した曲率半径を近軸曲率半径とみなすことができる。（例えば参考文献として、松居吉哉著「レンズ設計法」(共立出版株式会社)のP41〜42を参照のこと）
【００４８】
（実施例１）
実施例１におけるレンズデータを表１に示す。図３は実施例１のレンズの断面図である。実施例１の撮像レンズは、物体側から順に、負の屈折力を有する第１レンズＬ１、負の屈折力を有する第２レンズＬ２、正の屈折力を有する第３レンズＬ３、開口絞りＳ、正の屈折力を有する第４レンズＬ４からなり、プラスチック材料からなる第１レンズＬ１の物体側面は非球面形状であって、周辺部が正の屈折力を有する。第１レンズＬ１は像側に凹面を向け、第２レンズＬ２は像側に凹面を向け、第３レンズＬ３は物体側に凸面を向け、第４レンズＬ４は像側に凸面を向けている。Ｆはカバーガラス又はＩＲカットフィルタを想定した平行平板であり、ＩＭは固体撮像素子の撮像面である。
【００４９】
［表1］
［実施例1］
Reference Wave Length = 587.56 nm
unit: mm
面番号        r           d        nd     vd     eff.diameter
1*      1e+018      0.8000   1.54470  55.99    12.968
2*      5.7049      2.3699                      6.891
3*      3.6648      1.0101   1.54470  55.99     5.808
4*      0.7497      0.6532                      3.912
5*      2.1522      1.6597   1.63469  23.86     3.763
6*     -5.5145      0.7689                      2.859
STO     INFINITY      0.8498                      1.201
8*      5.5351      1.3217   1.54470  56.00     2.889
9*     -1.4688      0.5000                      3.054
10     INFINITY      0.3000   1.56400  47.00     3.329
11     INFINITY      1.5397                      3.375
面番号：非球面係数
1 :K=0.00000e+000,A4=6.96143e-004,A6=-3.86461e-006,A8=-1.06354e-007,A10=1.41062e-009
2 :K=0.00000e+000,A4=-3.12737e-004,A6=6.88601e-004,A8=-7.82132e-005,A10=4.60432e-006
3 :K=-5.00000e+001,A4=-1.90113e-002,A6=2.15327e-003,A8=-1.20466e-004,A10=2.87551e-006
4 :K=-1.94492e+000,A4=1.01466e-002,A6=-6.21379e-004,A8=-2.54781e-003,A10=4.05222e-004
5 :K=0.00000e+000,A4=-4.33199e-002,A6=2.85933e-002,A8=-9.67521e-003,A10=1.15315e-003
6 :K=0.00000e+000,A4=2.07964e-002,A6=2.48808e-002,A8=-2.56711e-002,A10=1.32981e-002,A12=-2.25096e-003
8 :K=0.00000e+000,A4=-2.18040e-002,A6=6.65018e-003,A8=1.69852e-003,A10=1.88678e-004
9 :K=-2.13847e+000,A4=-2.72322e-002,A6=1.44832e-002,A8=-9.54128e-003,A10=3.48938e-003
FL       1.173
Fno       2.00
w       187.00
Ymax      1.931
BF       2.232
TL       11.665
Elem   Surfs   Focal Length    Diameter
1     1- 2    -10.4735       12.968
2     3- 4     -1.9710        5.808
3     5- 6      2.6628        3.763
4     8- 9      2.2830        3.054
【００５０】
図４は実施例１の収差図（球面収差（ａ）、非点収差（ｂ）、歪曲収差（ｃ））であり、図５は、メリディオナルコマ収差（ａ）、（ｂ））である。ここで、球面収差図及びメリディオナルコマ収差図において、実線はｄ線、点線はｇ線に対する球面収差量をそれぞれ表し、非点収差図において、実線はサジタル面、点線はメリディオナル面を表す（以下、同じ）。
【００５１】
（実施例２）
実施例２におけるレンズデータを表２に示す。図６は実施例２のレンズの断面図である。実施例２の撮像レンズは、物体側から順に、負の屈折力を有する第１レンズＬ１、負の屈折力を有する第２レンズＬ２、正の屈折力を有する第３レンズＬ３、開口絞りＳ、正の屈折力を有する第４レンズＬ４からなり、プラスチック材料からなる第１レンズＬ１の物体側面は非球面形状であって、周辺部が正の屈折力を有する。第１レンズＬ１は像側に凹面を向け、第２レンズＬ２は像側に凹面を向け、第３レンズＬ３は物体側に凸面を向け、第４レンズＬ４は像側に凸面を向けている。Ｆはカバーガラス又はＩＲカットフィルタを想定した平行平板であり、ＩＭは固体撮像素子の撮像面である。
【００５２】
［表２］
［実施例2］
Reference Wave Length = 587.56 nm
unit: mm
面番号      r           d        nd      vd     eff.diameter
1*      1e+018      0.8000   1.54470  55.99    12.665
2*      4.5554      2.3208                      6.646
3*      3.5404      0.9325   1.54470  55.99     5.680
4*      0.7386      0.6815                      3.481
5*      1.9061      1.3063   1.63469  23.86     3.294
6*     -8.0154      0.7780                      2.715
STO     INFINITY      0.7171                      1.219
8*      4.3032      1.4616   1.54470  56.00     2.663
9*     -1.5587      1.7358                      3.164
10     INFINITY      0.3000   1.56400  47.00     3.754
11     INFINITY      0.2919                      3.798
面番号：非球面係数
1 :K=0.00000e+000,A4=7.76977e-004,A6=-2.79927e-006,A8=-1.18676e-007,A10=8.50507e-010
2 :K=0.00000e+000,A4=-1.29350e-003,A6=9.46875e-004,A8=-1.28640e-004,A10=7.58000e-006
3 :K=-3.11243e+001,A4=-2.07764e-002,A6=2.30146e-003,A8=-8.28633e-005,A10=-4.21018e-008
4 :K=-1.89093e+000,A4=5.99182e-002,A6=-9.18142e-003,A8=-7.34492e-003,A10=1.47135e-003
5 :K=0.00000e+000,A4=-2.72150e-002,A6=2.27525e-002,A8=-6.61266e-003,A10=-3.00618e-004
6 :K=0.00000e+000,A4=1.38298e-002,A6=3.82173e-002,A8=-3.04123e-002,A10=1.36523e-002,A12=-2.69843e-003
8 :K=0.00000e+000,A4=-3.56221e-002,A6=1.53074e-002,A8=-1.12135e-002,A10=2.16767e-003
9 :K=-2.00000e+000,A4=-2.07585e-002,A6=5.81866e-003,A8=-1.88585e-003,A10=-4.66717e-004
FL       1.163
Fno       2.00
w       187.00
Ymax      1.930
BF       2.219
TL       11.217
Elem   Surfs   Focal Length    Diameter
1     1- 2     -8.3632       12.665
2     3- 4     -1.9411        5.680
3     5- 6      2.5569        3.294
4     8- 9      2.3032        3.164
【００５３】
図７は実施例２の収差図（球面収差（ａ）、非点収差（ｂ）、歪曲収差（ｃ））であり、図８は、メリディオナルコマ収差（ａ）、（ｂ））である。
【００５４】
（実施例３）
実施例３におけるレンズデータを表３に示す。図９は実施例３のレンズの断面図である。実施例３の撮像レンズは、物体側から順に、負の屈折力を有する第１レンズＬ１、負の屈折力を有する第２レンズＬ２、正の屈折力を有する第３レンズＬ３、開口絞りＳ、正の屈折力を有する第４レンズＬ４からなり、プラスチック材料からなる第１レンズＬ１の物体側面は非球面形状であって、周辺部が正の屈折力を有する。第１レンズＬ１は像側に凹面を向け、第２レンズＬ２は像側に凹面を向け、第３レンズＬ３は物体側に凸面を向け、第４レンズＬ４は像側に凸面を向けている。Ｆはカバーガラス又はＩＲカットフィルタを想定した平行平板であり、ＩＭは固体撮像素子の撮像面である。
【００５５】
［表３］
［実施例3］
Reference Wave Length = 587.56 nm
unit: mm
面番号      r           d        nd      vd     eff.diameter
1*    235.6060      0.8000   1.54470  55.99    12.640
2*      5.7550      2.2146                      6.885
3*      4.9447      1.0887   1.54470  55.99     6.071
4*      0.8385      0.5964                      3.933
5*      2.0370      2.0692   1.63469  23.86     3.692
6*    -14.7235      0.6396                      2.233
STO     INFINITY      0.6953                      1.180
8*      6.9822      1.3724   1.54470  56.00     2.394
9*     -1.3431      0.5282                      2.887
10     INFINITY      0.3000   1.56400  47.00     3.647
11     INFINITY      1.6810                      3.704
面番号：非球面係数
1 :K=0.00000e+000,A4=6.88972e-004,A6=-4.37326e-006,A8=-1.12963e-007,A10=1.69103e-009
2 :K=0.00000e+000,A4=2.24714e-003,A6=-2.29813e-005,A8=5.70701e-006,A10=9.54569e-007
3 :K=-4.97988e+001,A4=-1.76229e-002,A6=2.17815e-003,A8=-1.28225e-004,A10=2.83805e-006
4 :K=-1.97171e+000,A4=5.69974e-002,A6=-9.78951e-003,A8=-3.98929e-003,A10=7.27255e-004
5 :K=0.00000e+000,A4=-5.28533e-003,A6=1.73548e-002,A8=-7.83953e-003,A10=7.11921e-004
6 :K=0.00000e+000,A4=6.29023e-002,A6=7.75096e-003,A8=-3.29505e-002,A10=3.78436e-002,A12=-9.97977e-003
8 :K=0.00000e+000,A4=-5.58407e-002,A6=2.16291e-002,A8=-1.13394e-002,A10=3.17925e-003
9 :K=-2.00000e+000,A4=-5.71121e-002,A6=1.66570e-002,A8=-1.04868e-002,A10=2.06937e-003
FL       1.169
Fno       2.00
w       187.00
Ymax      1.925
BF       2.406
TL       11.882
Elem   Surfs   Focal Length    Diameter
1     1- 2    -10.8433       12.640
2     3- 4     -2.0450        6.071
3     5- 6      2.9613        3.692
4     8- 9      2.1956        2.887
【００５６】
図１０は実施例３の収差図（球面収差（ａ）、非点収差（ｂ）、歪曲収差（ｃ））であり、図１１は、メリディオナルコマ収差（ａ）、（ｂ））である。
【００５７】
（実施例４）
実施例４におけるレンズデータを表４に示す。図１２は実施例４のレンズの断面図である。実施例４の撮像レンズは、物体側から順に、負の屈折力を有する第１レンズＬ１、負の屈折力を有する第２レンズＬ２、正の屈折力を有する第３レンズＬ３、開口絞りＳ、正の屈折力を有する第４レンズＬ４からなり、プラスチック材料からなる第１レンズＬ１の物体側面は非球面形状であって、周辺部が正の屈折力を有する。第１レンズＬ１は像側に凹面を向け、第２レンズＬ２は像側に凹面を向け、第３レンズＬ３は物体側に凸面を向け、第４レンズＬ４は像側に凸面を向けている。Ｆはカバーガラス又はＩＲカットフィルタを想定した平行平板であり、ＩＭは固体撮像素子の撮像面である。
【００５８】
［表４］
［実施例4］
Reference Wave Length = 587.56 nm
unit: mm
面番号       r           d        nd      vd     eff.diameter
1*      1e+018      0.8000   1.54470  55.99    12.675
2*      5.4656      2.3691                      6.776
3*      4.1783      1.0912   1.54470  55.99     5.890
4*      0.7827      0.8377                      4.110
5*      2.0910      1.5847   1.58313  29.99     3.762
6*     -4.3089      0.8535                      3.079
STO     INFINITY      0.9660                      1.247
8*      6.1218      1.2418   1.54470  56.00     2.761
9*     -1.5891      0.5700                      2.976
10     INFINITY      0.3000   1.56400  47.00     3.285
11     INFINITY      1.4543                      3.335
面番号：非球面係数
1 :K=0.00000e+000,A4=7.06954e-004,A6=-3.91178e-006,A8=-1.06635e-007,A10=1.42267e-009
2 :K=0.00000e+000,A4=1.39784e-004,A6=5.98393e-004,A8=-7.27836e-005,A10=4.73649e-006
3 :K=-5.00000e+001,A4=-1.97803e-002,A6=2.14957e-003,A8=-1.18330e-004,A10=2.89387e-006
4 :K=-1.94972e+000,A4=1.80934e-002,A6=-1.57153e-003,A8=-2.79339e-003,A10=3.95515e-004
5 :K=0.00000e+000,A4=-3.67029e-002,A6=2.60833e-002,A8=-8.70673e-003,A10=8.70457e-004
6 :K=0.00000e+000,A4=1.75289e-002,A6=3.10890e-002,A8=-2.88965e-002,A10=1.22878e-002,A12=-1.76066e-003
8 :K=0.00000e+000,A4=-2.15151e-002,A6=-1.13259e-003,A8=5.30843e-003,A10=-1.07517e-004
9 :K=-3.37734e+000,A4=-5.37472e-002,A6=2.65444e-002,A8=-1.44340e-002,A10=4.41219e-003
FL       1.174
Fno       2.00
w       187.00
Ymax      1.929
BF       2.216
TL       11.960
Elem   Surfs   Focal Length    Diameter
1     1- 2    -10.0341       12.675
2     3- 4     -1.9940        5.890
3     5- 6      2.6565        3.762
4     8- 9      2.4556        2.976
【００５９】
図１３は実施例４の収差図（球面収差（ａ）、非点収差（ｂ）、歪曲収差（ｃ））であり、図１４は、メリディオナルコマ収差（ａ）、（ｂ））である。
【００６０】
（実施例５）
実施例５におけるレンズデータを表５に示す。図１５は実施例５のレンズの断面図である。実施例５の撮像レンズは、物体側から順に、負の屈折力を有する第１レンズＬ１、負の屈折力を有する第２レンズＬ２、正の屈折力を有する第３レンズＬ３、開口絞りＳ、正の屈折力を有する第４レンズＬ４からなり、プラスチック材料からなる第１レンズＬ１の物体側面は非球面形状であって、周辺部が正の屈折力を有する。第１レンズＬ１は像側に凹面を向け、第２レンズＬ２は像側に凹面を向け、第３レンズＬ３は物体側に凸面を向け、第４レンズＬ４は像側に凸面を向けている。Ｆはカバーガラス又はＩＲカットフィルタを想定した平行平板であり、ＩＭは固体撮像素子の撮像面である。
【００６１】
［表５］
［実施例5］
Reference Wave Length = 587.56 nm
unit: mm
面番号      r           d        nd      vd     eff.diameter
1*    -23.5910      0.8000   1.54470  55.99    10.908
2*     17.9564      1.3710                      6.253
3*      9.2990      0.9000   1.53048  55.72     5.430
4*      0.8539      0.4896                      3.137
5*      1.9088      1.1886   1.63200  23.40     2.827
6*    -12.4254      0.4800                      2.007
STO     INFINITY      0.6073                      0.949
8*      4.5251      1.5266   1.53048  55.72     2.322
9*     -1.0937      0.5864                      2.851
10     INFINITY      0.3000   1.56400  47.00     3.398
11     INFINITY      1.0739                      3.467
面番号：非球面係数
1 :K=0.00000e+000,A4=1.69807e-003,A6=-1.35921e-005,A8=-4.74110e-008
2 :K=0.00000e+000,A4=1.04215e-002,A6=-1.42840e-003,A8=1.16066e-004
3 :K=-3.45700e+001,A4=-1.86085e-002,A6=1.71112e-003,A8=-1.31118e-005,A10=-2.56407e-006
4 :K=-1.71331e+000,A4=8.97956e-002,A6=-3.42153e-002,A8=-1.32515e-002,A10=4.55224e-003
5 :K=0.00000e+000,A4=2.28289e-002,A6=1.13156e-002,A8=-1.46609e-003,A10=-8.82522e-004
6 :K=0.00000e+000,A4=6.38174e-002,A6=7.27780e-002,A8=-1.00851e-001,A10=1.17584e-001,A12=-4.93281e-002
8 :K=0.00000e+000,A4=-7.84940e-002,A6=3.32129e-002,A8=-8.23504e-003,A10=1.45015e-003
9 :K=-2.00000e+000,A4=-6.72534e-002,A6=2.50816e-002,A8=-1.84000e-002,A10=4.92548e-003
FL       1.170
Fno       2.00
w     187.00
Ymax      1.919
BF       1.852
TL       9.215
Elem   Surfs   Focal Length    Diameter
1     1- 2    -18.5920       10.908
2     3- 4     -1.8404        5.430
3     5- 6      2.7049        2.827
4     8- 9      1.8330        2.851
【００６２】
図１６は実施例５の収差図（球面収差（ａ）、非点収差（ｂ）、歪曲収差（ｃ））であり、図１７は、メリディオナルコマ収差（ａ）、（ｂ））である。
【００６３】
（実施例６）
実施例６におけるレンズデータを表６に示す。図１８は実施例６のレンズの断面図である。実施例６の撮像レンズは、物体側から順に、負の屈折力を有する第１レンズＬ１、負の屈折力を有する第２レンズＬ２、正の屈折力を有する第３レンズＬ３、開口絞りＳ、正の屈折力を有する第４レンズＬ４からなり、プラスチック材料からなる第１レンズＬ１の物体側面は非球面形状であって、周辺部が正の屈折力を有する。第１レンズＬ１は像側に凹面を向け、第２レンズＬ２は像側に凹面を向け、第３レンズＬ３は物体側に凸面を向け、第４レンズＬ４は像側に凸面を向けている。Ｆはカバーガラス又はＩＲカットフィルタを想定した平行平板であり、ＩＭは固体撮像素子の撮像面である。
【００６４】
［表６］
［実施例6］
Reference Wave Length = 587.56 nm
unit: mm
面番号      r           d          nd     vd     eff.diameter
1*     20.9758      0.8000   1.54470  56.00    12.863
2*      5.1309      2.4914                      6.881
3*     11.7626      0.9598   1.53048  55.72     6.060
4*      0.9567      0.5476                      3.850
5*      1.9171      1.9410   1.63200  23.40     3.510
6*    -18.8610      0.4800                      2.061
STO     INFINITY      0.6132                      0.795
8*      4.2820      1.5334   1.53048  55.72     2.151
9*     -0.9600      0.5241                      2.751
10     INFINITY      0.3000   1.56400  47.00     3.385
11     INFINITY      0.8760                      3.465
面番号：非球面係数
1 :K=0.00000e+000,A4=-6.58293e-005,A6=1.72741e-006,A8=2.99117e-009,A10=-4.78507e-010,A12=4.90978e-012
2 :K=0.00000e+000,A4=4.41305e-003,A6=-1.33075e-003,A8=3.10218e-004,A10=-2.28327e-005,A12=5.84599e-007
3 :K=-3.28381e+001,A4=-6.93633e-003,A6=1.13291e-004,A8=5.40339e-005,A10=-3.41528e-006
4 :K=-1.65423e+000,A4=1.16391e-001,A6=-5.31827e-002,A8=5.74934e-003,A10=-2.95623e-005
5 :K=0.00000e+000,A4=4.47023e-002,A6=-1.41596e-002,A8=-2.14457e-004,A10=-3.44528e-004
6 :K=0.00000e+000,A4=8.25610e-002,A6=-5.50611e-002,A8=4.23568e-002,A10=-9.91868e-003,A12=1.14367e-003
8 :K=0.00000e+000,A4=-1.47631e-001,A6=1.41497e-001,A8=-9.45915e-002,A10=2.18300e-002
9 :K=-2.00000e+000,A4=-8.26021e-002,A6=-7.67482e-003,A8=1.73154e-002,A10=-5.97261e-003
FL       0.904
Fno       2.08
w       187.00
Ymax      1.918
BF       1.582
TL       10.948
Elem   Surfs   Focal Length    Diameter
1     1- 2    -12.6960       12.863
2     3- 4     -2.0254        6.060
3     5- 6      2.8569        3.510
4     8- 9      1.6451        2.751
【００６５】
図１９は実施例６の収差図（球面収差（ａ）、非点収差（ｂ）、歪曲収差（ｃ））であり、図２０は、メリディオナルコマ収差（ａ）、（ｂ））である。
【００６６】
（実施例７）
実施例７におけるレンズデータを表７に示す。図２１は実施例７のレンズの断面図である。実施例７の撮像レンズは、物体側から順に、負の屈折力を有する第１レンズＬ１、負の屈折力を有する第２レンズＬ２、正の屈折力を有する第３レンズＬ３、開口絞りＳ、正の屈折力を有する第４レンズＬ４からなり、プラスチック材料からなる第１レンズＬ１の物体側面は非球面形状であって、周辺部が正の屈折力を有する。第１レンズＬ１は像側に凹面を向け、第２レンズＬ２は像側に凹面を向け、第３レンズＬ３は物体側に凸面を向け、第４レンズＬ４は像側に凸面を向けている。Ｆはカバーガラス又はＩＲカットフィルタを想定した平行平板であり、ＩＭは固体撮像素子の撮像面である。
【００６７】
［表７］
［実施例7］
Reference Wave Length = 587.56 nm
unit: mm
面番号       r           d        nd      vd     eff.diameter
1*     99.7730      0.8000   1.54470  56.00    12.924
2*      8.1687      2.1309                      7.190
3*     11.6128      1.0310   1.53048  55.72     6.500
4*      0.9622      0.6250                      4.153
5*      2.0408      2.0683   1.63200  23.40     3.637
6*   3617.4634      0.4800                      1.968
STO     INFINITY      0.6382                      0.786
8*      3.4476      1.5187   1.53048  55.72     2.535
9*     -0.9722      0.5240                      2.808
10     INFINITY      0.3000   1.56400  47.00     3.388
11     INFINITY      0.8760                      3.471
面番号：非球面係数
1 :K=0.00000e+000,A4=3.80379e-004,A6=1.22722e-007,A8=-4.26696e-008,A10=-8.43442e-010,A12=1.66765e-011
2 :K=0.00000e+000,A4=2.72172e-003,A6=-2.15756e-004,A8=9.08544e-005,A10=-7.06194e-006,A12=2.16274e-007
3 :K=-5.93299e+000,A4=-7.53002e-003,A6=8.93918e-005,A8=5.52211e-005,A10=-3.15012e-006
4 :K=-1.86098e+000,A4=1.31809e-001,A6=-5.13977e-002,A8=5.65127e-003,A10=-1.51596e-004
5 :K=0.00000e+000,A4=4.77225e-002,A6=-7.14230e-003,A8=-8.32799e-004,A10=-1.23057e-004
6 :K=0.00000e+000,A4=1.07470e-001,A6=-5.40565e-002,A8=2.92632e-002,A10=7.91229e-003,A12=1.14367e-003
8 :K=0.00000e+000,A4=-9.86947e-002,A6=8.79011e-002,A8=-3.37835e-002,A10=6.32040e-003
9 :K=-2.00000e+000,A4=-7.03031e-002,A6=2.00520e-002,A8=-9.35167e-003,A10=6.66469e-003
FL       0.905
Fno       2.08
w       187.00
Ymax      1.918
BF       1.700
TL       10.993
Elem   Surfs   Focal Length    Diameter
1     1- 2    -16.3845       12.924
2     3- 4     -2.0463        6.500
3     5- 6      3.2303        3.637
4     8- 9      1.6228        2.808
【００６８】
図２２は実施例７の収差図（球面収差（ａ）、非点収差（ｂ）、歪曲収差（ｃ））であり、図２３は、メリディオナルコマ収差（ａ）、（ｂ））である。
【００６９】
各条件式に対応する実施例の値を表８にまとめて示す。
【００７０】
【表８】
2014203720.tif 000004
【００７１】
また、本発明は、明細書に記載の実施形態や実施例に限定されるものではなく、他の実施例・変形例を含むことは、本明細書に記載された実施形態や実施例や技術思想から本分野の当業者にとって明らかである。例えば、実質的に屈折力を持たないダミーレンズを更に付与した場合でも本発明の適用範囲内である。
【符号の説明】
【００７２】
１  撮像装置
２  ケーブル
Ｌ１  第１レンズ
Ｌ２  第２レンズ
Ｌ３  第３レンズ
Ｌ４  第４レンズ
ＬＮ  撮像レンズ
ＩＭ  撮像素子
【図１】
2014203720.tif 000005
【図２】
2014203720.tif 000006
【図３】
2014203720.tif 000007
【図４】
2014203720.tif 000008
【図５】
2014203720.tif 000009
【図６】
2014203720.tif 000010
【図７】
2014203720.tif 000011
【図８】
2014203720.tif 000012
【図９】
2014203720.tif 000013
【図１０】
2014203720.tif 000014
【図１１】
2014203720.tif 000015
【図１２】
2014203720.tif 000016
【図１３】
2014203720.tif 000017
【図１４】
2014203720.tif 000018
【図１５】
2014203720.tif 000019
【図１６】
2014203720.tif 000020
【図１７】
2014203720.tif 000021
【図１８】
2014203720.tif 000022
【図１９】
2014203720.tif 000023
【図２０】
2014203720.tif 000024
【図２１】
2014203720.tif 000025
【図２２】
2014203720.tif 000026
【図２３】
2014203720.tif 000027
【国際調査報告】
2014203720.tif 000028
2014203720.tif 000029
2014203720.tif 000030
2014203720.tif 000031